(57)【要約】【課題】  料理のレシピの分量を、家族の人数あるいは手元にある分量に合うような分量に変換計算することができる分量変換器を提供する。【解決手段】  料理のレシピの人数および分量と変換割合の人数および分量とさらに変換したい分量を入力する入力手段と、前記入力された分量を入力データに基づいてその割合に変換計算する演算手段と、データを記憶できる記憶手段と、前記変換計算した結果を表示するための表示手段とを備えることを特徴とする専用の分量変換器。【選択図】図１
2008097560.tif 000002
【特許請求の範囲】
【請求項１】
料理のレシピの人数および分量と変換割合の人数および分量とさらに変換したい分量を入力する入力手段と、前記入力された分量を入力データに基づいてその割合に変換計算する演算手段と、データを記憶できる記憶手段と、前記変換計算した結果を表示するための表示手段とを備えることを特徴とする専用の分量変換器。
【請求項２】
さらに料理用のタイマーを備えることを特徴とする請求項１記載の分量変換器。
【発明の詳細な説明】
【技術分野】
【０００１】  本発明は、料理材料などの分量を、指定した割合に変換をしたり、あるいは単位間の変換をすることができる分量変換器に関するものである。
【背景技術】
【０００２】  料理レシピの材料として記載される分量は、４人分などある人数に限定した分量しか記載されていないことがほとんどであり、それを家族分作ろうとすると、家族の人数分に合った分量に変換計算する必要があった。
また、保存用に多目の分量を作るときや、一部の材料が不足していたり、記載されている分量とは異なる量を作ったりするときなども前記と同様、いちいち分量の変換計算をする必要があった。
従来、前記の変換計算をする方法としては、筆記計算や暗算、そろばんや電卓類を使用していた。最近では、コンピュータやゲーム機を用いて、特定の料理レシピを人数変換する機能を有するソフトもある。
【発明の開示】
【発明が解決しようとする課題】
【０００３】  そのために、次のような問題点があった。
（イ）筆記計算は手軽だが面倒であり、特に料理中に書く作業というのは大変難しい。
（ロ）暗算ができる人はそれが一番便利であろうが、正確に暗算をできる人は非常に少なく、計算が苦手な人は多い。
（ハ）そろばんは便利であるが、最近は時代遅れの感があり、そろばんを使える人も少なく、何より乗除算をする必要があり、面倒で大変である。
（ニ）電卓がこの中では一番使いやすいと思われるが、電卓でさえ分量の変換計算をするには乗除算をする必要があり、その計算方法も面倒で計算が苦手な人には大変な作業となる。また、連続計算を早く行うにはメモリ機能を使用できるが、煩雑で、さらに難しい計算方法となる。
（ホ）コンピュータやゲーム機は、そのソフトで紹介している特定の料理レシピが対象であり、普通の料理本のレシピを変換計算することができる機能を備えたものはなかった。
ソフト次第では可能だとしても、コンピュータやゲーム機などは装置が大きく、料理中に使用するのは非現実的である。価格も高価であり、たとえソフトができても手軽には使用することができない。
本発明は、以上の問題点を解決しようとするものである。
【課題を解決するための手段】
【０００４】  料理のレシピの人数および分量と変換割合の人数および分量とさらに変換したい分量を入力する入力手段と、前記入力された分量を入力データに基づいてその割合に変換計算する演算手段と、データを記憶できる記憶手段と、前記変換計算した結果を表示するための表示手段とを備えることを特徴とする専用の分量変換器である。
【発明の効果】
【０００５】  本発明は、人数入力手段は料理のレシピの人数と家族の人数や変換する人数を入力するためのもの、割合入力手段は変換する分量割合を入力するためのものであり、そして分量入力手段では、料理の分量をそれぞれの単位毎に入力するための機能で構成されている。これにより、紙に書いたり暗算をしたりする必要がなく、何も考えずに人数や分量割合、それぞれの分量を入力するだけであるため、簡単である。そろばんや電卓のように、どういう順序で乗除算をするかということを考える必要もない。【０００６】  前記入力された分量を前記入力されたデータに基づいてその人数あるいは割合に変換計算する演算手段と、それぞれの単位を別の単位に変換計算する演算手段とを備えているため、自動で変換演算を行うことができ、計算が苦手な人でも簡単に使用することが可能となる。【０００７】  また、入力と変換計算データを記憶できる記憶手段、前記変換計算した結果を表示するための表示手段とを備えている専用の分量変換器である。
そのため、連続計算も容易に可能となり、また専用機であるために本体を非常に小型で軽くすることができ、使用部品も少なくできるため、低価格とすることが可能である。
これにより、どんな人でもやさしく簡単に、手軽に使用することができ、容易に分量を変換計算することが可能となる。
【発明を実施するための最良の形態】
【０００８】  以下、本発明の実施の形態について説明する。
図１は、本発明の一実施例としての分量変換器の構成を概略的に示す。
（イ）機器本体１には、主として、料理本レシピ等に記載されている人数、材料の分量、単位、家族の人数、変換計算された結果等を表示するための表示部２と、前記データ値を入力するための入力キー部３とを備える。
（ロ）入力キー部３には、主として、電源スイッチと入力をクリアするためのＯＮキー４と、数字を入力するためのテンキー５と、人数割合モードと分量割合モードで変換計算を変更するための分量モード切替キー６と、ｃｃやｇ単位を入力したり、単位変換を行うためのｃｃ，ｇキー８と、カップ単位を入力したり、単位変換を行うためのカップキー９と、大さじ単位を入力したり、単位変換を行うための大さじキー１０と、小さじ単位を入力したり、単位変換を行うための小さじキー１１と、入力変換したデータの履歴を表示しそのデータを前にスクロール表示させるための前キー１２と、入力変換したデータの履歴を表示しそのデータを後にスクロール表示させるための後キー１３と、キー入力を行う際にデータを確定するためのＥｎｔｅｒキー１４と、料理本レシピ等に記載されている人数を１人づつプラスして入力を行うための本＋キー１５と、家族等変換表示させたい人数を１人づつプラスして入力を行うための家族＋キー１６とを備えている。【０００９】  図４は、本発明の一実施例としての分量変換器の電子回路系統を概略的に示すブロック図である。
（ハ）この分量変換器の電子回路系統は、演算制御部１７を備えており、この演算制御部１７には、メモリ１８と、入出力ポート１９と、表示部２と、入力キー部３とが関連付けて備えられている。
本発明は、以上の構成よりなっている。【００１０】  次に、このような構成を有する本発明の分量変換器の基本操作について説明する。
（イ）人数割合変換モードについて説明する。
この分量変換器を使用して、例えば、料理レシピに書いてある４人分の材料を、家族の人数３人に合わせた分量に変換したいときの、人数割合変換モードの基本操作について説明する。
まずＯＮキー４を押し、電源を入れる。すると、表示部２には、料理本と家族の人数の両方に、１人分と表示される。次に、本＋キー１５を３回押して、料理本の人数表示を４人分とする。さらに、家族＋キー１６を２回押して、家族の人数表示を３人分とする。
この後、テンキー５を使用して、料理レシピの中の分量数値を入力し、Ｅｎｔｅｒキー１４を押す。これにより、分量変換器の内部で演算計算され、表示部２に家族３人分の分量変換結果が表示される。図２は、そのような表示の一例を示している。
このように、一度、人数を入力設定してしまえば、この後からは、テンキー５で分量数値を入力し、Ｅｎｔｅｒキー１４を押すだけの簡単操作で、連続して分量変換が可能である。【００１１】  （ロ）分量割合変換モードについて説明する。
この分量変換器を使用して、例えば、料理レシピには材料Ａ、８００ｇと書いてあるものが、手元には材料Ａが５００ｇしかない時に、他の材料をそれに合わせた分量に変換したいときの、分量割合変換モードの基本操作について説明する。
まずＯＮキー４を押し、電源を入れ、分量モード切替キー６を押す。すると、表示部２の分量表示部分が点滅表示を行う。これで、分量割合変換モードに切り替えられたことを示しており、ここで料理本の材料Ａ、８００ｇを、テンキー５を使用して、８００と数値を入力し、Ｅｎｔｅｒキー１４を押す。これにより、料理本の分量表示部分の点滅は停止するが、家族の分量表示部分の点滅はまだ継続される。ここで手元にある材料Ａの分量、５００ｇを、テンキー５を使用して、５００と数値を入力し、Ｅｎｔｅｒキー１４を押す。
これにより、表示部２の分量表示部分の点滅は全て停止し、変換するために必要な分量割合について、入力が完了したことが示される。図３は、図２とは別装置での一例であるが、そのような表示の一例を示している。
これで、分量割合の設定が終了したので、次は変換したい分量を入力していく。テンキー５を使用して、料理レシピの中の変換したい分量数値を入力し、Ｅｎｔｅｒキー１４を押す。これにより、分量変換器の内部で、分量割合に合った演算計算が実行され、表示部２に材料Ａの８００：５００の分量割合に応じた分量変換結果が表示される。
このように、一度、分量割合を入力設定してしまえば、（イ）の人数割合変換モードと同様、この後からは、テンキー５で分量数値を入力し、Ｅｎｔｅｒキー１４を押すだけの簡単操作で、連続して分量変換が可能である。
分量割合変換モードから、人数割合変換モードに戻るには、分量モード切替キー６を再度押すことで切り替えられる。この分量モード切替キー６は、押す度に、分量割合変換モードと人数割合変換モードとが切り替わるキーである。【００１２】  （ハ）大さじ、小さじ、カップ、分数の入力方法について説明する。
まず、大さじ３と１／２を入力する場合を代表して、基本操作について説明する。
（イ）や（ロ）において、テンキー５を使用して分量を入力する際、テンキーで数値を入力する前に、大さじキー１０を押す。すると、表示部２の分量表示部分が０．−／−の表示に変わり、分数入力モードとなる。この後、テンキー５を使用して分量を入力するが、この例の場合には３２１とテンキー５で数値を入力する。これにより、表示部２の分量表示部分が３．１／２の表示に変わる。その後、Ｅｎｔｅｒキー１４を押すことで、分数データが確定される。
小さじ、カップについても同様であり、前記において、大さじキー１０を押すところを、各々小さじキー１１、カップキー９を押すことで、入力が可能である。【００１３】  （ニ）記憶した履歴を表示する方法について説明する。
前記のようにして、データを入力、変換していった場合、その変換結果はメモリ１８に記憶される仕組みになっている。この記憶された変換結果の履歴を表示させる、基本操作について説明する。
まず、前の変換結果の履歴を表示させるため、前キー１２を押す。これにより、一つ前の履歴が表示される。さらに、前キー１２を押していくと、順次一つづつ前の履歴が表示されていく。ここで、後キー１３を押すと、逆に順次一つづつ後ろの履歴に戻って表示される。
この履歴表示を終了させるには、単位変換キー７以外の何かキーを押すことで、終了させることができる。【００１４】  （ホ）単位を変換表示する方法について説明する。
（イ）（ロ）（ハ）にしたがって、入力変換した結果の分量について、その単位を変換させて表示することが可能である。これは、メモリ１８に保存するデータはｃｃ表示に単位変換して保存する仕組みにしているためである。
Ｅｎｔｅｒキー１４を押して、変換計算結果を表示させている状態において、単位変換キー７を押す。これにより、表示部２に表示されている分量変換結果の単位を、一回のみ再変換する準備ができたことになる。ここで、変換したい単位のキー（例えば、小さじキー１１など）を押すと、表示部２に、小さじ単位に再変換された分量が表示される。
これを繰り返して、単位変換キー７を押し、別の変換したい単位のキーを押すことで、何回も単位変換結果を得ることができる。
また、（ニ）の履歴表示状態においても、同様に単位変換することが可能である。前記と同様、履歴表示の変換計算結果を表示させている状態において、単位変換キー７を押し、変換したい単位のキーを押す。これで同様に、表示部２に、単位が再変換された分量が表示される。【００１５】  図５は、本発明の分量変換器の全体動作を示すフローチャートであり、前記の操作を行うための各々の動作フローを示すものである。
【図面の簡単な説明】
【００１６】
【図１】本発明の一実施例の概要図
【図２】本発明の表示部の一表示例
【図３】本発明の表示部の別の一表示例
【図４】本発明の電子回路系統を概略的に示すブロック図
【図５】本発明の全体動作を示すフローチャート
【符号の説明】
【００１７】  １  機器本体
２  表示部
３  入力キー部
４  ＯＮキー
５  テンキー
６  分量モード切替キー
７  単位変換キー
８  ｃｃ，ｇキー
９  カップキー
１０  大さじキー
１１  小さじキー
１２  前キー
１３  後キー
１４  Ｅｎｔｅｒキー
１５  本＋キー
１６  家族＋キー
１７  演算処理部
１８  メモリ
１９  入出力ポート
【図１】
2008097560.tif 000003
【図２】
2008097560.tif 000004
【図３】
2008097560.tif 000005
【図４】
2008097560.tif 000006
【図５】
2008097560.tif 000007